(57)【要約】【課題】  コンテンツを他人に渡したり、コピー等したりしても、コンテンツに埋め込まれているおまけデータにアクセルするユーザを限定することができるコンテンツ配信システムを得る。【解決手段】  コンテンツ配信サイト１ａは、ユーザ端末３ａからの自己メールアドレスＣｉと、受信したコンテンツ名Ａｉのコンテンツデータに対しての付属のコンテンツ（おまけのデータ）を提供する付属コンテンツのＵＲＬとを透かし埋込部４ａによって、受信したコンテンツ名ＡｉのコンテンツデータＤｉに埋め込み、このコンテンツデータＬａを通信ネットワーク２を介してユーザ端末３ａに送信する。ユーザ端末３ａは、透かし読出部５ａがコンテンツデータの自己メールアドレスと付属コンテンツのＵＲＬとを読み、この自己メールアドレス宛に自己送信する。【選択図】      図２
2005218060.tif 000002
【特許請求の範囲】
【請求項１】
コンテンツを購入する購入者端末に対して、前記コンテンツを提供する配信サーバが前記購入者端末のメールアドレス及び前記コンテンツのサービスコンテンツを提供するための特定のＵＲＬを電子透かしで埋め込み、これを特定情報付きコンテンツ情報として通信ネットワークを介して前記購入者端末に送信する一方、前記購入者端末が特定情報付きコンテンツ情報を受信して、前記メールアドレス宛てに前記ＵＲＬを前記通信ネットワークを介して自動的に送信するコンテンツ配信システムであって、
前記配信サーバは、
前記コンテンツ名と該コンテンツ名のコンテンツとが対応させられて記憶された第１のメモリと、
前記コンテンツ名と前記特定のＵＲＬとが対応させられて記憶された第２のメモリと、
前記購入者端末から前記購入者端末のメールアドレスと前記コンテンツ名とを受信し、これらを対応させて第３のメモリに記憶する手段と、
前記コンテンツ名に対応する前記コンテンツを第１のメモリから読み出す手段と、
前記読み出されたコンテンツの所定のフィールドに、前記購入者端末のメールアドレス及び前記ＵＲＬを電子透かし処理を施して埋め込んだ前記特定情報付きコンテンツ情報を生成して前記通信ネットワークを介して前記ユーザ端末に送信させる手段と
を有し、
前記購入者端末は、
前記配信サーバからの前記特定情報付きコンテンツ情報を受信して、これを第４のメモリに記憶する手段と、
前記特定情報付きコンテンツ情報の前記コンテンツの再生指示に伴って、該コンテンツを再生する手段と、
前記再生指示に伴って、前記特定情報付きコンテンツ情報の所定のフィールドの前記電子透かし処理が施された前記購入者端末のメールアドレス及び前記ＵＲＬを読み出す手段と、
前記読み出した前記ＵＲＬを書き込んだメールを生成し、該メールを前記購入者端末のメールアドレス宛てに前記通信ネットワークを介して送信する手段と
を有することを特徴とするコンテンツ配信システム。
【発明の詳細な説明】
【技術分野】
【０００１】
本発明は、コンテンツ配信システムに関し、特に電子透かしを利用してコンテンツの購入者端末のみがそのコンテンツのサービスコンテンツを提供する特定のＵＲＬにアクセスできるコンテンツ配信システムに関する。また、第三者がコンテンツをコピーして再生したときに購入者に通知するコンテンツ配信システムに関する。
【背景技術】
【０００２】
ＣＤ−ＥＸＴＲＡのように、コンテンツにコンピュータで利用可能なデータが記録されており、そのコンテンツをＣＤ−ＲＯＭドライブで読み取ると付属のおまけデータを使用することができるものがある。
【０００３】
このコンテンツを他人に渡した場合は、コンテンツを購入していない他人がコンテンツをコピーして、このコンテンツに付属されているおまけデータが容易に利用されていた。
【０００４】
また、近年はインターネットの普及により、コンテンツにＵＲＬを付属させて、おまけのデータを提供する場合もある。このような場合には、他人に上記コンテンツが手渡ると、他人はコンテンツを購入しなくともそのおまけデータを利用できていた。
【０００５】
例えば、特開平９−１２８４０８号広報（特許文献１）は、光ディスクに、映像情報やネットワークを介して外部情報参照するような記述を設けている。
【０００６】
また、特開平９−２４７５９９号広報（特許文献２）は、光ディスクに記録したマルチメディアデータとインターネットサーバに記録したマルチメディアデータを参照するような記述を設けている。
【特許文献１】特開平９−１２８４０８号広報
【特許文献２】特開平９−２４７５９９号広報
【発明の開示】
【発明が解決しようとする課題】
【０００７】
しかしながら、コンテンツにおまけデータが添付されていたりする場合、そのコンテンツを他の人に渡したり、コピー等したりすることにより、誰でも容易に上記コンテンツに付属しているおまけデータを利用できるために、特別であるべきおまけデータの、その価値が下がってしまうという課題があった。
【０００８】
すなわち、従来のコンテンツに付属している特定のデータ情報は、ユーザを限定しておらず、コンテンツが第三者に渡っても、その第三者が利用することができるという課題があった。
【０００９】
また、万が一にコンテンツを盗まれたり、コピーされたりして第三者にそのコンテンツを利用されても、コンテンツ購入者には何の情報もいかず、被害にあったことすら気が付かない場合があるという課題があった。
【００１０】
そこで、本発明は、コンテンツを他人に渡したり、コピー等したりしても、コンテンツに埋め込まれているおまけデータにアクセスするユーザを限定することができるようになることを目的とする。
【００１１】
また、コンテンツを盗まれたり、コピーされたりして、コンテンツを無断で第三者に利用されたときに、購入者に連絡が入るようにすることを目的とする。
【課題を解決するための手段】
【００１２】
請求項１の発明は、コンテンツを購入する購入者端末に対して、前記コンテンツを提供する配信サーバが前記購入者端末のメールアドレス及び前記コンテンツのサービスコンテンツを提供するための特定のＵＲＬを電子透かしで埋め込み、これを特定情報付きコンテンツ情報として通信ネットワークを介して前記購入者端末に送信する一方、前記購入者端末が特定情報付きコンテンツ情報を受信して、前記メールアドレス宛てに前記ＵＲＬを前記通信ネットワークを介して自動的に送信するコンテンツ配信システムであって、前記配信サーバは、前記コンテンツ名と該コンテンツ名のコンテンツとが対応させられて記憶された第１のメモリと、前記コンテンツ名と前記特定のＵＲＬとが対応させられて記憶された第２のメモリと、前記購入者端末から前記購入者端末のメールアドレスと前記コンテンツ名とを受信し、これらを対応させて第３のメモリに記憶する手段と、前記コンテンツ名に対応する前記コンテンツを第１のメモリから読み出す手段と、前記読み出されたコンテンツの所定のフィールドに、前記購入者端末のメールアドレス及び前記ＵＲＬを電子透かし処理を施して埋め込んだ前記特定情報付きコンテンツ情報を生成して前記通信ネットワークを介して前記ユーザ端末に送信させる手段とを有し、前記購入者端末は、前記配信サーバからの前記特定情報付きコンテンツ情報を受信して、これを第４のメモリに記憶する手段と、前記特定情報付きコンテンツ情報の前記コンテンツの再生指示に伴って、該コンテンツを再生する手段と、前記再生指示に伴って、前記特定情報付きコンテンツ情報の所定のフィールドの前記電子透かし処理が施された前記購入者端末のメールアドレス及び前記ＵＲＬを読み出す手段と、前記読み出した前記ＵＲＬを書き込んだメールを生成し、該メールを前記購入者端末のメールアドレス宛てに前記通信ネットワークを介して送信する手段とを有することを特徴とする。
【発明の効果】
【００１３】
以上のように本発明によれば、コンテンツの購入者が配信サーバに購入者のメールアドレスとコンテンツ名とを登録し、配信サーバがコンテンツを購入者端末に送信するとき、購入者のメールアドレスとサービスコンテンツを提供するＵＲＬとを電子透かしで埋め込んで送信し、購入者端末側ではコンテンツ再生時にこのＵＲＬと購入者のメールアドレスとを読み込んで、自動的にＵＲＬを書き込んだメールを購入者のメールアドレス宛てに送信する。
【００１４】
このため、購入者のみがサービスコンテンツを利用できるという効果が得られている。
【００１５】
また、コンテンツが第三者にコピーされたとしても、第三者のコンテンツ再生時に、購入者に自動的にメールが通知される。このため、誰が自分が購入したコンテンツを利用しているかを購入者は知ることができるという効果が得られている。
【００１６】
さらに、複数の人に購入者のコンテンツが渡り、利用されると、購入者側はメールを多数受信することになるので、購入者はコンテンツをコピーして第３者に配布しないように勤める抑制が働くという効果が得られている。
【発明を実施するための最良の形態】
【００１７】
本実施の形態は、
＜実施の形態１＞
図１は本実施の形態１のコンテンツ配信システムを説明するための概念図である。図１に示す配信システムは、コンテンツをユーザが配信サイト１ａから通信ネットワーク２を介して購入する際に、ユーザ端末３ａを操作してコンテンツ配信サイト１ａに対して、ユーザ端末３ａのメールアドレス（以下自己メールアドレスという）とコンテンツ名Ａｉとを通知する。
【００１８】
コンテンツ配信サイト１ａは、ユーザ端末３ａからの自己メールアドレスＣｉと、受信したコンテンツ名Ａｉのコンテンツデータに対しての付属のコンテンツ（おまけのデータ）を提供するＵＲＬ（以下付属コンテンツのＵＲＬ（Ｅｉ）という）とを透かし埋込部４ａによって、受信したコンテンツ名ＡｉのコンテンツデータＤｉに埋め込み、このコンテンツデータＬａを通信ネットワーク２を介してユーザ端末３ａに送信する。
【００１９】
ユーザ端末３ａは、コンテンツデータＤｉに付属コンテンツのＵＲＬ（Ｅｉ）及び自己メールアドレスＣｉが電子透かしで埋め込まれたコンテンツデータＬａをダウンロードし、記憶媒体に保存し、ユーザの再生指示に伴って、透かし読出部５ａがコンテンツデータの自己メールアドレスと付属コンテンツのＵＲＬとを読み出す。そして、メール自動送信部６がメールに付属コンテンツのＵＲＬを書き込んで自己メールアドレス宛にメールサーバ８に送信し（自己送信ともいう）、メーラ７がこのメールをメールサーバ８から受信してブラウザ機能で表示させる。次に、画面に表示されたメールの付属コンテンツのＵＲＬ（Ｅｉ）で特定のサイトのサーバ９にアクセスさせ、このサーバ９から前述のおまけのコンテンツデータＨｉの提供を受ける。
【００２０】
図２は図１のコンテンツ配信システムの詳細構成図である。図２に示すように、コンテンツ配信システムは、コンテンツ配信サイト１ａとメールサーバ８とおまけのコンテンツデータＨｉを提供する特定のサイトのサーバ９とユーザ端末３ａとを通信ネットワーク２で接続している。
【００２１】
コンテンツ配信サイト１ａは、Ｗｅｂサーバ１０と、データベース１１ａ、１１ｂと、ユーザ情報用のデータベース１２と、コンテンツ配信サーバ１３ａとを備えている。電子透かし埋込みの機能は、Ｗｅｂサーバ１０又はコンテンツ配信サーバ１３ａ（総称して配信サーバともいう）で実施しても良いが本実施の形態では、コンテンツ配信サーバ１３ａに備える。
【００２２】
データベース１１ａは、各種のコンテンツ情報（コンテンツ名Ａｉ、コンテンツデータＤｉ名等をリンク付けして記憶）を記憶している。
【００２３】
コンテンツデータベース１１ｂは、コンテンツ名Ａｉに、おまけのコンテンツデータＨｉを提供する特定のサイトのサーバ９の付属コンテンツのＵＲＬ（Ｅｉ）がリンク付けされて保存されている。
【００２４】
ユーザ情報用のデータベース１２には、ユーザ端末３ａからのコンテンツ名Ａｉと自己メールアドレスＣｉとが年月日時刻と共にリンク付けされて保存される。
【００２５】
コンテンツ配信サーバ１３ａは、コンテンツ読込部１４ａと、透かし埋込部４ａとを備えている。
【００２６】
コンテンツ読込部１４ａは、ユーザ端末３ａからのコンテンツ名Ａｉに対応するコンテンツデータＤｉをコンテンツデータベース１１ａから抽出する。
【００２７】
透かし埋込部４ａは、ユーザ情報用のデータベース１２からコンテンツ名Ａｉにリンク付けされている自己メールアドレスＣｉを抽出すると共に、ユーザ情報用のデータベース１２からコンテンツ名Ａｉにリンク付けされている付属コンテンツのＵＲＬ（Ｅｉ）を抽出し、この抽出した自己メールアドレスＣｉと付属コンテンツのＵＲＬ（Ｅｉ）とを電子透かしで、コンテンツデータＤｉの所定のフィールドに埋め込んでおまけＵＲＬ付きコンテンツ情報Ｌａとして、Ｗｅｂサーバ１０を介して送信させる。
【００２８】
一方、ユーザ端末３ａは、コンテンツ再生部２０と、透かし読出し部５ａと、メーラ７と、メール自動送信部６とメモリ１９ａとを備えている。
【００２９】
このメモリ１９には、コンテンツ配信サイト１ａからの「おまけＵＲＬ付コンテンツ情報Ｌａ」がダウンロードされる。
【００３０】
コンテンツ再生部２０は、メモリ１９ａのコンテンツＤｉ又はおまけのコンテンツデータＨｉを再生する。
【００３１】
透かし読出部５ａは、メモリ１９ａに「おまけＵＲＬ付きコンテンツ情報Ｌａ」が保存されているとき、このコンテンツ情報Ｌａの所定のフィールドを検索し、電子透かしで「おまけＵＲＬ付きコンテンツ情報Ｌａ」（自己メールアドレスＣｉ及び付属コンテンツのＵＲＬ（Ｅｉ））が埋め込まれているかどうかを判定し、埋め込まれているときは、この「おまけＵＲＬ付きコンテンツ情報Ｌａ」を読み出し、自己メールアドレスＣｉ及び付属コンテンツのＵＲＬ（Ｅｉ）を読み出して、メール自動送信部６に送出する。
【００３２】
メール自動送信部６は、付属コンテンツのＵＲＬ（Ｅｉ）を書き込んだメールを自己メールアドレスＣｉ宛てで通信ネットワーク２を介して送信する。
【００３３】
上記のように構成された実施の形態１の動作を図３のシーケンス図を用いて説明する。
【００３４】
ユーザ（コンテンツの購入者）は、ユーザ端末３を操作して、コンテンツ配信サイト１のＵＲＬでアクセスする（ｄ１）。
【００３５】
コンテンツ配信サイト１のＷｅｂサーバ１０は、氏名、コンテンツ名等を入力させるための入力フォームページをユーザ端末３ａに通信ネットワーク２を介して送信する（ｄ２）。
【００３６】
ユーザは、このページの入力フォームに従って、自己メールアドレスＣｉと所定のデータを入力してコンテンツ配信サイト１ａに送信（コンテンツ要求情報という）させる（ｄ３）。
【００３７】
コンテンツ配信サイト１ａのコンテンツ配信サーバ１３ａは、コンテンツ要求情報（コンテンツ名、メールアドレス等）を受信して、ユーザ情報用のデータベース１２に保存する（ｄ４）。
【００３８】
次に、コンテンツ読込部１４ａがユーザ情報用のデータベース１２に保存されているコンテンツ名Ａｉを読み、このコンテンツ名ＡｉのコンテンツＤｉをデータベース１１ａから読み出す（ｄ５）。
【００３９】
次に、透かし埋込部４ａは、ユーザ情報用のデータベース１２からユーザ端末３からの自己メールアドレスＣｉとデータベース１１ｂのコンテンツ名Ａｉにリンク付けされている「おまけのＵＲＬ（Ｅｉ）」とを読み込み、このメールアドレス及びＵＲＬとを電子透かしでコンテンツＤｉの所定のフィールドに埋め込む（ｄ６）。そして、送信部（図示せず）が「おまけＵＲＬ付きコンテンツ情報Ｌａ」をユーザ端末３ａに送信する（ｄ７）。
【００４０】
一方、ユーザ端末３ａは、「おまけＵＲＬ付きコンテンツ情報Ｌａをメモリ１９ａ（ファイル）にダウンロードする（ｄ８）。前述の電子透かし処理の所定のフィールドとは、例えば、音楽データの場合は、波形のデータがあるフィールドである。画像の場合は、画像を周波数成分に分解し、特定の帯域のみに修正信号を添加する。
【００４１】
次に、ユーザ端末３ａのユーザは、メモリ１９ａのおまけのＵＲＬ付きコンテンツ情報Ｌａのコンテンツ名Ａｉを画面に表示させ、この画面から希望のコンテンツ名を選択し、再生指示を送出させてコンテンツ再生部２０によって再生させる（ｄ９）。また、この再生指示に伴って、透かし読出部５ａは、メモリ１９ａの「おまけのＵＲＬ付きコンテンツ情報Ｌａ」の所定のフィールドを検索し、電子透かしで自己メールアドレスＣｉ、おまけのＵＲＬ（Ｅｉ）が埋め込まれているかどうかを判定し、埋め込まれているときは、自己メールアドレスＣｉ、おまけのＵＲＬ（Ｅｉ）を読み出す（ｄ１０）。
【００４２】
メール自動送信部６は、メールにおまけのＵＲＬ（Ｅｉ）を書き込んで、自己メールアドレスＣｉで送信する（ｄ１１）。
【００４３】
すなわち、メールサーバ８にこのメールが送信され（ｄ１２）、メールサーバ８は、メールアドレスが自己アドレス宛て（ユーザ端末３宛て）であるので、ユーザ端末３に「おまけのＵＲＬ（Ｅｉ）」が書き込まれたメールを送信することになる（ｄ１３）。
【００４４】
メーラ７は自己メールアドレス宛てのメールを受信し、これをユーザ端末３の画面に表示する。これによって、ユーザは初めて購入したコンテンツ名Ａｉに添付されている「おまけのＵＲＬ」を知ることが可能となる。
【００４５】
そして、ユーザが「おまけのＵＲＬ（Ｅｉ）」で特定のサイトのサーバ９にアクセスする（ｄ１４）。
【００４６】
特定のサイトのサーバ９は、アクセスに伴って、おまけのコンテンツデータＨｉを通信ネットワーク２を介してユーザ端末に送信する（ｄ１５）。ユーザはユーザ端末３ａを操作して、このコンテンツデータＨｉを再生させる（ｄ１６）。
【００４７】
すなわち、メーラに送られた「おまけのＵＲＬ」を第三者にしらせないかぎり特定のサイトのサーバ９にはアクセスできない。
【００４８】
ここで、ユーザ端末３ａの動作を補充する。図４はユーザ端末３ａの動作を説明するフローチャートである。
【００４９】
図４に示すように、ユーザはユーザ端末３ａを操作してメモリ１９ａのコンテンツＤｉを再生させる（Ｓ１）。
【００５０】
次に、透かし読出部５ａは、コンテンツＤｉの所定のフィールドを読み（Ｓ２）、電子透かしデータが入っているかどうかを判定する（Ｓ３）。
【００５１】
ステップＳ３において、電子透かしデータが入っていると判定したときは、そのフィールドの自己アドレスＣｉと「おまけのＵＲＬ（Ｅｉ）」を読み出す（Ｓ４）。
【００５２】
そして、メールに「おまけのＵＲＬ（Ｅｉ）」を書き込み、自己メールアドレスＣｉ宛にメール自動送信部６が送信する（Ｓ５）。これにより、メールサーバ８がユーザ端末３ａに前述の「おまけのＵＲＬ（Ｅｉ）」付きメールを送信することになる。
【００５３】
次に、ユーザは、この「おまけのＵＲＬ」にアクセスして（Ｓ６）、おまけのコンテンツＨｉをダウンロードして、再生する（Ｓ７）。
【００５４】
＜実施の形態２＞
実施の形態２は「おまけのＵＲＬ」をワンタイムＵＲＬ、或いは期限やアクセス回数、ＩＤやパスワード等の制限をくえることによって、より第三者がアクセスしにくくなることを目的としたシステムである。
【００５５】
図５は実施の形態２のコンテンツ配信システムの概略構成図である。図５において図１と同様なものは説明を省略する。コンテンツ配信サイト１ｂの配信サーバ１３ｂは、ワンタイムＵＲＬ（Ｊｉ）を生成し、ＩＤ、パスワードにリンク付けしてメモリ１７に保存するワンタイムＵＲＬ生成部１５を備えている。このワンタイムＵＲＬ（Ｊｉ）は、特定サイトのサーバ９のＵＲＬであり、最後の番号が異なるファイル名にするのが好ましい（ファイル名に番号が振ってあって、それが変化する）。
【００５６】
さらに、認証部１６を有し、この認証部１６は、ユーザ端末３ｂからのアクセス回数、期限、ＩＤ、パスワードを認証する。
【００５７】
電子透かし埋込部４ｂ、ユーザ情報用のデータベース１２の自己メールアドレスＣｉと、メモリ１７のワンタイムＵＲＬ（Ｅｉ）とを読み、コンテンツ読込部１４ｂで読み込まれたコンテンツＤｉの所定のフィールドにワンタイムＵＲＬ（Ｅｉ）と自己メールアドレスＣｉとを電子透かしで埋め込み、おまけのＵＲＬ付コンテンツ情報Ｌｂとして送信させる。
【００５８】
上記のように構成されたコンテンツ配信システムについて図６のシーケンス図を用いて以下に説明する。
【００５９】
ユーザ（コンテンツの購入者）は、ユーザ端末３ｂを操作して、コンテンツ配信サイト１ｂのＵＲＬでアクセスする（ｄ２０）。
【００６０】
コンテンツ配信サイト１のＷｅｂサーバ１０は、氏名、ＩＤコード、パスワード、コンテンツ名等を入力させるための入力フォームページをユーザ端末３ｂに通信ネットワーク２を介して送信する（ｄ２１）。
【００６１】
ユーザは、このページに入力フォームに従って、自己メールアドレスＣｉと、ＩＤ、パスワード、コンテンツ名Ａｉ（総称してコンテンツ要求情報ともいう）を入力してコンテンツ配信サイト１ｂに送信させる（ｄ２２）。
【００６２】
コンテンツ配信サイト１ｂのコンテンツ配信サーバ１３ｂは、コンテンツ要求情報（コンテンツ名、ＩＤ、パスワード、自己メールアドレス等）を受信して、ユーザ情報用のデータベース１２に保存する（ｄ２３）。
【００６３】
そして、認証部１６がＩＤとパスワードを認証し、かつアクセス回数を判定し、アクセス回数が所定回数以下のときはアクセスを許可する（ｄ２４）。
【００６４】
次に、コンテンツ読込部１４ｂがアクセス許可に伴って、ユーザ情報用のデータベース１２に保存されているコンテンツ名Ａｉを読み、このコンテンツ名ＡｉのコンテンツＤｉをデータベース１１ａから読み出す（ｄ２５）。
【００６５】
次に、透かし埋込部１５は、ユーザ情報用のデータベース１２からユーザ端末３ａからの自己メールアドレスＣｉとメモリ１７のワンタイムＵＲＬ（Ｊｉ：おまけのＵＲＬ）とを読み込み、このメールアドレス及びＵＲＬとを電子透かしでコンテンツＤｉの所定のフィールドに埋め込む（ｄ２６）。そして、送信部（図示せず）が「おまけＵＲＬ付きコンテンツ情報Ｌｂ」をユーザ端末３に送信する（ｄ２７）。
【００６６】
一方、ユーザ端末３ｂは、「おまけＵＲＬ付きコンテンツ情報Ｌｂをメモリ１９（ファイル）にダウンロードする（ｄ２８）。
【００６７】
次に、ユーザ端末３ｂのユーザは、メモリ１９のおまけのＵＲＬ付きコンテンツ情報Ｌｂのコンテンツ名Ａｉを画面に表示させ、この画面から希望のコンテンツ名を選択し、再生指示を送出させてコンテンツ再生部２０によって再生させる（ｄ２９）。また、この再生指示に伴って、透かし読出部５ｂは、メモリ１９の「おまけのＵＲＬ付きコンテンツ情報Ｌｂの所定のフィールドを検索し、電子透かしで自己メールアドレスＣｉ、ワンタイムＵＲＬ（Ｊｉ）が埋め込まれているかどうかを判定し、埋め込まれているときは、自己メールアドレスＣｉ、ワンタイムＵＲＬ（Ｊｉ）を読み出す（ｄ３０）。
【００６８】
メール自動送信部６は、メールにワンタイムＵＲＬ（Ｊｉ）を書き込んで、自己メールアドレスＣｉで送信する（ｄ３１）。
【００６９】
すなわち、メールサーバ８にこのメールが送信され（ｄ３２）、メールサーバ８は、メールアドレスが自己アドレス宛て（ユーザ端末３ｂ宛て）であるので、ユーザ端末３ｂに「ワンタイムＵＲＬ（Ｊｉ）」が書き込まれたメールを送信することになる（ｄ３３）。
【００７０】
メーラ７は自己メールアドレス宛てのメールを受信し、これをユーザ端末３ｂの画面に表示する。これによって、ユーザは初めて購入したコンテンツ名Ａｉに添付されている「おまけのＵＲＬであるワンタイムＵＲＬ」を知ることが可能となる。
【００７１】
そして、ユーザが「ワンタイムＵＲＬ（Ｊｉ）」で特定のサイトのサーバ９にアクセスする（ｄ３４）。
【００７２】
特定のサイトのサーバ９は、アクセスに伴って、おまけのコンテンツデータＨｉを通信ネットワーク２を介してユーザ端末３ｂに送信する（ｄ３５）。ユーザはユーザ端末３ｂを操作して、このコンテンツデータＨｉを再生させる（ｄ３６）。
【００７３】
すなわち、メーラに送られた「おまけのＵＲＬ」が第三者に知られたとしても、このＵＲＬはワンタイムＵＲＬであるから、第三者は、おまけのコンテンツを提供する特定サーバにアクセスすることができない。
【００７４】
＜実施の形態３＞
図７は実施の形態３のコンテンツ配信システムの概念図である。本実施の形態３は、シェアウエアのアプリケーション購入の際に、配信側のコンテンツ配信サイト１ｃの配信サーバがシリアルナンバーＫｉを購入者の自己メールアドレスＣｉと共に、電子透かし埋込部４ｃによってアプリケーションソフトＡｐｉに埋め込む。
【００７５】
そして、ユーザがユーザ端末３ｃを操作して、アプリケーションソフトＡｐｉをダウンロードし、ユーザ端末３ｃの透かし読出部５ｃによって、アプリケーションソフトＡｐｉのシリアルナンバーＫｉと自己メールアドレスＣｉとを読み出し、メール自動送信部６によって、自己メールアドレス宛てのメールを送信してシリアルナンバーＫｉを知ることにする。これによって、購入者はアプリケーションソフトの使用が可能となる。
【００７６】
図８は実施の形態３のコンテンツ配信システムの概略構成図である。本実施の形態では図１と同様な符号がついているものについては説明を省略する。
【００７７】
データベース１５ａは、シェアコンテンツ名ＧｉとアプリケーションソフトＡｐｉとを対応させて保存している。
【００７８】
データベース１５ｂは、アプリケーションソフト名ＰａｉとシリアルナンバーＫｉとが対応させられて保存されている。
【００７９】
ユーザ情報用のデータベース１６には、ユーザ端末３ｃからの自己メールアドレスＣｉとシェアソフト名Ｇｉと年月日とが対応させられて保存されている。
【００８０】
透かし埋込部４ｃは、ユーザ情報用のデータベース１６のシェアウエア名Ｇｉに対応するシリアルナンバーＫｉをデータベース１５ｂから読み込むと共に、ユーザ情報用のデータベース１６から自己メールアドレスＣｉを読み込む。そして、これらを電子透かし処理を施して、コンテンツ読込部１４ｃが読み込んだアプリケーションＡｐｉに埋め込み、コンテンツデータＬｃとしてユーザ端末３ｃに送信する。
【００８１】
一方、ユーザ端末３ｃは、コンテンツ再生部２０と、透かし読出部５ｃと、メーラ７と、メール自動送信部６とメモリ１９とを備えている。
【００８２】
このメモリ１９には、コンテンツ配信サイト１ｃからの「コンテンツＬｃ」がダウンロードされる。
【００８３】
コンテンツ再生部２０は、メモリ１９のコンテンツＬｃであるアプリケーションソフトＡｐｉを再生する。
【００８４】
透かし読出部５ｃは、メモリ１９にコンテンツＬｃが保存されたとき、このコンテンツＬｃの所定のフィールドを検索し、電子透かしで「シリアルナンバーＫｉと自己メールアドレスＣｉ」とが埋め込まれているかどうかを判定し、埋め込まれているときは、この「コンテンツＬｃ」を読み出し、自己メールアドレスＣｉ及びシリアルナンバーＫｉを抽出して、メール自動送信部６に送出する。
【００８５】
すなわち、メール自動送信部６は、シリアルナンバーＫｉを書き込んだメールを自己メールアドレスＣｉ宛てに通信ネットワーク２を介して送信する。
【００８６】
上記のように構成されたコンテンツ配信システムについて図９のシーケンス図を用いて以下に説明する。
【００８７】
ユーザ（コンテンツの購入者）は、ユーザ端末３ｃを操作して、コンテンツ配信サイト１ｃのＵＲＬでアクセスする（ｄ３０）。
【００８８】
コンテンツ配信サイト１ｃのＷｅｂサーバ１０は、氏名、コンテンツ名、自己メールアドレス等を入力させるための入力フォームページをユーザ端末３ｃに通信ネットワーク２を介して送信する（ｄ３１）。
【００８９】
ユーザは、このページに入力フォームに従って、自己メールアドレスＣｉと、コンテンツ名Ａｉ（総称してコンテンツ要求情報ともいう）を入力してコンテンツ配信サイト１ｃに送信させる（ｄ３２）。
【００９０】
コンテンツ配信サイト１ｃのコンテンツ配信サーバ１３ｃは、コンテンツ要求情報（コンテンツ名、自己メールアドレス等）を受信して、ユーザ情報用のデータベース１６に保存する（ｄ３３）。
【００９１】
そして、コンテンツ読込部１４ｃがユーザ情報用のデータベース１６に保存されているコンテンツ名Ａｉを読み、このコンテンツ名ＡｉのアプリケーションソフトＡｐｉをデータベース１５ｂから読み出す（ｄ３４）。
【００９２】
次に、透かし埋込部４ｃは、ユーザ情報用のデータベース１６からユーザ端末３ｃからの自己メールアドレスＣｉとデータベース１５ｂのシリアルナンバーＫｉとを読み込む。そして、透かし埋込部４ｃがこのメールアドレスＣｉ及びシリアルナンバーＫｉとをを電子透かしでアプリケーションソフトＡｐｉの定のフィールドに埋め込む（ｄ３５）。そして、送信部（図示せず）がこのコンテンツＬｃをユーザ端末３ｃに送信する（ｄ３６）。
【００９３】
一方、ユーザ端末３ｃは、自己メールアドレスＣｉとシリアルナンバーＫｉとが電子透かしで埋め込まれたコンテンツＬｃをメモリ１９（ファイル）にダウンロードする（ｄ３７）。
【００９４】
このダウンロードに伴って、透かし読み出部５ｃがメモリ１９のコンテンツＬｃの所定のフィールドを検索し、電子透かしで自己メールアドレスＣｉ、シリアルナンバーＫｉが埋め込まれているかどうかを判定し、埋め込まれているときは、自己メールアドレスＣｉ、シリアルナンバーＫｉを読み出す（ｄ３８）。
【００９５】
メール自動送信部６は、メールにシリアルナンバーＫｉを書き込んで、自己メールアドレスＣｉで送信する（ｄ４０）。
【００９６】
すなわち、メールサーバ８にこのメールが送信され（ｄ４１）、メールサーバ８は、メールアドレスが自己アドレス宛て（ユーザ端末３ｃ宛て）であるので、ユーザ端末３ｃにシリアルナンバーＫｉが書き込まれたメールを送信することになる（ｄ４２）。
【００９７】
メーラ７は自己メールアドレス宛てのメールを受信し、これをユーザ端末３ｃの画面に表示する。これによって、ユーザは初めて購入したアプリケーションソフトＡｐｉをこのシリアルナンバーＫｉで起動させることが可能となる（ｄ４３）。
【００９８】
＜実施の形態４＞
図１０は実施の形態４のコンテンツ配信システムの概念図である。実施の形態４は、携帯電話機３０から画像や着信メロディ等のコンテンツＰｉをダウンロードして購入する際に、自らの携帯電話機のメールアドレス（携帯電話機の自己メールアドレスＣｐ）を通知する。このとき、配信側であるコンテンツ配信サーバ１ｄは、通知された携帯電話機のメールアドレスＣｐと、購入者用のサービスを提供してあるＵＲＬ（Ｑｉ）を透かし埋め込み部４ｄにより、コンテンツＰｉに埋め込み、通信ネットワーク２を介して携帯電話機３０に送信する。
【００９９】
携帯電話機３０は、透かし読み出部５ｄによって、携帯電話機の自己メールアドレスＣｐ及びＵＲＬ（Ｑｉ）を読み出し、メール自動送信部６によってＵＲＬ（Ｑｉ）が書き込まれたメールをメールサーバ８に送信し、このメールサーバ８から携帯電話機３０に送信（自己送信）させる。すなわち、携帯電話機は、この自己送信によって前述のＵＲＬ（Ｑｉ）を知ることができ、このＵＲＬ（Ｑｉ）の特定のサーバ９にアクセスして、購入者のみがクーポンＲｉなどを得ることを可能とする。また、ＵＲＬ（Ｑｉ）は画像や音声等のファイルに直接リンクしていることもある。
【０１００】
図１１は実施の形態４のコンテンツ配信システムの概略構成図である。本実施の形態では図１から図１１と同様な符号がついているものについては説明を省略する。
【０１０１】
ユーザ情報用のデータベース１８は、携帯電話機の自己メールアドレスＣｐと、画像、メロディ名等のコンテンツ名Ｍｉと、年月日とが対応させられて保存されている。
【０１０２】
データベース３５ａは、画像、メロディ名等のコンテンツ名Ｍｉと、画像、メロディのコンテンツデータＰｉとが対応させられて保存されている。
【０１０３】
コンテンツデータベース３５ｂは、画像、メロディ名等のコンテンツ名Ｍｉとサービスを提供するＵＲＬ（Ｑｉ）とを対応させて保存している。
【０１０４】
透かし埋込部４ｄは、ユーザ情報用のデータベース１２の携帯電話機の自己メールアドレスＣｐとデータベース３５ｂのＵＲＬ（Ｑｉ）とを読み、これらを電子透かし処理を施して、コンテンツ読込部１４ｄが読み込んだコンテンツＰｉに埋め込み、コンテンツデータＬｄとして携帯電話機３０に送信する。
【０１０５】
一方、携帯電話機３０は、コンテンツ再生部２０と、透かし読出部５ｄと、メーラ７と、メール自動送信部６とメモリ１９とを備えている。
【０１０６】
このメモリ１９には、コンテンツ配信サイト１ｄからの「コンテンツＬｄ」がダウンロードされる。
【０１０７】
コンテンツ再生部２０は、メモリ１９のコンテンツＬｄ、ＵＲＬ（Ｑｉ）のファイルを再生する。
【０１０８】
透かし読出部５ｄは、メモリ１９にコンテンツＬｄが保存されたとき、このコンテンツＬｄを検索し、電子透かしで携帯電話機の自己メールアドレスＣｉとＵＲＬ（Ｑｉ）とが埋め込まれているかどうかを判定し、埋め込まれているときは、この「コンテンツＬｄ」を読み出し、自己メールアドレスＣｐ及びＵＲＬ（Ｑｉ）を抽出して、メール自動送信部６に送出する。
【０１０９】
すなわち、メール自動送信部６は、ＵＲＬ（Ｑｉ）を書き込んだメールを自己メールアドレスＣｐ宛てに通信ネットワーク２（インターネット２ａ、携帯電話網２ｂ）を介して送信する。
【０１１０】
上記のように構成されたコンテンツ配信システムについて図１２のシーケンス図を用いて以下に説明する。
【０１１１】
ユーザ（コンテンツの購入者）は、携帯電話機３０を操作して、コンテンツ配信サイト１ｄのＵＲＬでアクセスする（ｄ４０）。
【０１１２】
コンテンツ配信サイト１ｄのＷｅｂサーバ１０は、氏名、コンテンツ名、携帯電話機の自己メールアドレス等を入力させるための入力フォームページをユーザ端末３ｄに通信ネットワーク２を介して送信する（ｄ４１）。
【０１１３】
ユーザは、このページに入力フォームに従って、携帯電話機の自己メールアドレスＣｐと、コンテンツ名Ｍｉ（総称してコンテンツ要求情報ともいう）を入力してコンテンツ配信サイト１ｄに送信させる（ｄ４２）。
【０１１４】
コンテンツ配信サイト１ｄのコンテンツ配信サーバ１３ｄは、コンテンツ要求情報（コンテンツ名、携帯電話機の自己メールアドレス等）を受信して、ユーザ情報用のデータベース１８に保存する（ｄ４３）。
【０１１５】
そして、コンテンツ読込部１４ｄがユーザ情報用のデータベース１８に保存されているコンテンツ名Ｍｉを読み、このコンテンツ名Ｍｉの画像、メロディ等のコンテンツデータＰｉをデータベース３５ａから読み出す（ｄ４４）。
【０１１６】
次に、透かし埋込部４ｄは、ユーザ情報用のデータベース１８から携帯電話機３０からの自己メールアドレスＣｐとデータベース３５ｂのＵＲＬ（Ｑｉ）とを読み込む。そして、透かし埋込部４ｄがこのメールアドレスＣｐ及びＵＲＬ（Ｑｉ）とをを電子透かしでコンテンツデータＰｉの所定のフィールドに埋め込む（ｄ４５）。そして、送信部（図示せず）がこのコンテンツＬｄを携帯電話機３０に送信する（ｄ４６）。
【０１１７】
一方、携帯電話機３０は、携帯電話機の自己メールアドレスＣｐとＵＲＬ（Ｑｉ）とが電子透かしで埋め込まれたコンテンツＬｄをメモリ１９（ファイル）にダウンロードする（ｄ４７）。そして、コンテンツＬｄのコンテンツデータＰｉ（画像又はメロディ）を再生させる（ｄ４８）。
【０１１８】
また、透かし読み出部５ｄがメモリ１９を検索し、電子透かしで携帯電話機の自己メールアドレスＣｐ、ＵＲＬ（Ｑｉ）が埋め込まれているかどうかを判定し、埋め込まれているときは、携帯電話機の自己メールアドレスＣｐ、ＵＲＬ（Ｑｉ）を読み出す（ｄ４９）。
【０１１９】
メール自動送信部６は、メールにＵＲＬ（Ｑｉ）を書き込んで、携帯電話機の自己メールアドレスＣｐで送信する（ｄ５０）。
【０１２０】
すなわち、メールサーバ８にこのメールが送信され（ｄ５１）、メールサーバ８は、メールアドレスが自己アドレス宛て（ユーザ端末３ｄ宛て）であるので、ユーザ端末３ｄにＵＲＬ（Ｑｉ）が書き込まれたメールを送信することになる（ｄ５２）。
【０１２１】
メーラ７は携帯電話機の自己メールアドレス宛てのメールを受信し、これをユーザ端末３ｄの画面に表示する。これによって、ユーザはＵＲＬ（Ｑｉ）の特定サイトのサーバ９にアクセスして（ｄ５３）、例えば特定サイトで提供するクーポン件Ｒｉを得ることになる（ｄ５４）。
【０１２２】
＜利用形態＞
従って、図１３に示すシステム（実施の形態１を用いる）においては、購入者の自己メールアドレスとＵＲＬとがコンテンツ配信サイト１で電子透かしによって埋め込まれ、ユーザ端末３に送信され、ユーザ端末３は自己メールアドレス宛てにＵＲＬが書き込まれたメールをメールサーバ８に送信する。
【０１２３】
このため、第三者の端末４０がユーザ端末３からコンテンツをコピーしてコンテンツを再生したとしても、ユーザ端末３のメールアドレス宛てにＵＲＬが書き込まれたメールが第三者の端末４０からメールサーバ８に送信され、メールサーバ８からは、ユーザ端末３にメールが送信されることになる。つまり、第三者の端末４０のメールアドレスがユーザ端末３で知ることができるので、誰がコンテンツを使用するのかが分かる。
【０１２４】
図１４は図１３の利用形態を説明するシステム図の具体的構成図である。図１４に示すように第三者の端末４０が通信ネットワーク２に接続される。
【０１２５】
図１５は図１４のシステムの動作を説明するシーケンス図である。本実施の形態では、ＵＲＬはおまけのＵＲＬ（Ｅｉ）として説明する。また、英記号を省略して説明する。また、本実施の形態では第三者に転送する例とする。
【０１２６】
ユーザ（コンテンツの購入者）は、ユーザ端末３を操作して、コンテンツ配信サイト１のＵＲＬでアクセスする（ｄ５０）。
【０１２７】
コンテンツ配信サイト１のＷｅｂサーバ１０は、氏名、コンテンツ名等を入力させるための入力フォームページをユーザ端末３に通信ネットワーク２を介して送信する（ｄ５１）。
【０１２８】
ユーザは、このページに入力フォームに従って、自己メールアドレスＣｉと所定のデータを入力してコンテンツ配信サイト１に送信（コンテンツ要求情報という）させる（ｄ５２）。
【０１２９】
コンテンツ配信サイト１のコンテンツ配信サーバは、コンテンツ要求情報（コンテンツ名、メールアドレス等）を受信して、ユーザ情報用のデータベース１２に保存する（ｄ５３）。
【０１３０】
次に、コンテンツ読込部１４がユーザ情報用のデータベース１２に保存されているコンテンツ名Ａｉを読み、このコンテンツ名ＡｉのコンテンツＤｉをデータベース１１ａから読み出す（ｄ５４）。
【０１３１】
次に、透かし埋込部４は、ユーザ情報用のデータベース１２からユーザ端末３からの自己メールアドレスＣｉとデータベース１１ｂのコンテンツ名Ａｉにリンク付けされている「おまけのＵＲＬ（Ｅｉ）」とを読み込み、このメールアドレス及びＵＲＬとを電子透かしでコンテンツＤｉの所定のフィールドに埋め込む（ｄ５５）。そして、送信部（図示せず）が「おまけＵＲＬ付きコンテンツ情報Ｌａ」をユーザ端末３に送信する（ｄ５６）。
【０１３２】
一方、ユーザ端末３は、「おまけＵＲＬ付きコンテンツ情報Ｌａをメモリ１９（ファイル）にダウンロードする（ｄ５７）。
【０１３３】
次に、ユーザ端末３のユーザは、メモリ１９のおまけのＵＲＬ付きコンテンツ情報Ｌａのコンテンツ名Ａｉを画面に表示させ、この画面から希望のコンテンツ名を選択し、再生指示を送出させてコンテンツ再生部２０によって再生させる（ｄ５８）。また、この再生指示に伴って、透かし読出部５は、メモリ１９の「おまけのＵＲＬ付きコンテンツＬａの所定のフィールドを検索し、電子透かしで自己メールアドレスＣｉ、おまけのＵＲＬ（Ｅｉ）が埋め込まれているかどうかを判定し、埋め込まれているときは、自己メールアドレスＣｉ、おまけのＵＲＬ（Ｅｉ）を読み出す（ｄ５９）。
【０１３４】
メール自動送信部６は、メールにおまけのＵＲＬ（Ｅｉ）を書き込んで、自己メールアドレスＣｉで送信する（ｄ６０）。
【０１３５】
すなわち、メールサーバ８にこのメールが送信され（ｄ６１）、メールサーバ８は、メールアドレスが自己アドレス宛て（ユーザ端末３宛て）であるので、ユーザ端末３に「おまけのＵＲＬ（Ｅｉ）」が書き込まれたメールを送信することになる（ｄ６２）。
【０１３６】
ここで、ユーザは第三者にコンテンツを使用させるためにコンテンツＬａを第三者の端末のメールアドレスｂｉ宛てに転送する（ｄ６３）。
【０１３７】
このメールはメールサーバに送信され、メールサーバ８は、第三者の端末にコンテンツ（電子透かしでＵＲＬ（Ｅｉ）、自己メールアドレスＣｉが入っている）を送信する（ｄ６４）。
【０１３８】
第三者の端末のユーザは、コンテンツＬａをダウンロードし、これを再生させる（ｄ６５、図１６ではＳ２０）。
【０１３９】
この再生指示に伴って、コンテンツＬａの自己メールアドレスＣｉ（ユーザ端末のメールアドレス）とおまけのＵＲＬ（Ｅｉ）とが読み出され（図１５ではＳ２１）、正規の購入者である自己メールアドレスＣｉ宛てにメールサーバ８に送信され（ｄ６６、図１６ではＳ２２）、ユーザ端末３にこのメール（第三者のメールアドレスｂｉ付き）が送信されることになる（ｄ６７、図１６ではＳ２３）。
【０１４０】
従って、第三者がコンテンツＬａを再生させると第三者のメールアドレスｂｉがユーザ端末側で分かるので、誰がコンテンツＬａを再生しているが分かる。
【０１４１】
なお、上記実施の形態では、コンテンツを転送して第三者に渡す例を説明したが、記憶媒体にコンテンツをコピーして第三者に渡しても、第三者の端末で再生すると、購入者にメールで知らせられる。
【０１４２】
また、複数の人に購入者のコンテンツが渡り、利用されると、購入者側はメールを多数受信することになるので、購入者はコンテンツをコピーして第３者に配布しないように勤める抑制が働く。
【図面の簡単な説明】
【０１４３】
【図１】本実施の形態１のコンテンツ配信システムの概念図である。
【図２】実施の形態１のコンテンツ配信システムの概略構成図である。
【図３】実施の形態１のコンテンツ配信システムの動作を説明するシーケンス図である。
【図４】実施の形態１のコンテンツ配信システムのユーザ端末の動作を説明するフローチャートである。
【図５】本実施の形態２のコンテンツ配信システムの概略構成図である。
【図６】本実施の形態２の動作を説明するシーケンス図である。
【図７】実施の形態３のコンテンツ配信システムの概念図である。
【図８】本実施の形態３のコンテンツ配信システムの概略構成図である。
【図９】本実施の形態３の動作を説明するシーケンス図である。
【図１０】本実施の形態４のコンテンツ配信システムの概念図である。
【図１１】本実施の形態４のコンテンツ配信システムの概略構成図である。
【図１２】本実施の形態４の動作を説明するシーケンス図である。
【図１３】第三者によるコピーの際の概念図である。
【図１４】図１３をより具体的にした概略構成図である。
【図１５】図１４の動作を説明するシーケンス図である。
【図１６】図１４の概略動作を説明するフローチャートである。
【符号の説明】
【０１４４】
１ａ  配信サイト
２  通信ネットワーク
３ａ  ユーザ端末
４ａ  透かし埋込部
【図１】
2005218060.tif 000003
【図２】
2005218060.tif 000004
【図３】
2005218060.tif 000005
【図４】
2005218060.tif 000006
【図５】
2005218060.tif 000007
【図６】
2005218060.tif 000008
【図７】
2005218060.tif 000009
【図８】
2005218060.tif 000010
【図９】
2005218060.tif 000011
【図１０】
2005218060.tif 000012
【図１１】
2005218060.tif 000013
【図１２】
2005218060.tif 000014
【図１３】
2005218060.tif 000015
【図１４】
2005218060.tif 000016
【図１５】
2005218060.tif 000017
【図１６】
2005218060.tif 000018